(57)【要約】【課題】  既存のハンガーに着脱可能であるとともに、容易に設置状態が変動せず、かつ、衣服の対向する生地が接近し難い構造の洗濯物乾燥補助具を提供する。【解決手段】  洗濯物乾燥補助具は、ハンガーＡの水平部材Ｈの嵌入を許容する嵌入部１と、嵌入部１に連続され、この嵌入部１に上記水平部材Ｈを嵌入するとき、水平部材Ｈに対して直交方向に配置される直交アーム２と、直交アーム２の両端近傍から延出する略平行な洗濯物当接部３，４を備える。直交アーム２は、水平部材Ｈに直交し、洗濯物の対向面の接近を抑制して空気の流通を良くする。嵌入部１は、水平部材Ｈに嵌入して固定され、容易に変形せずに衣服の内部に空気を流入させる。洗濯物当接部３，４は、直交アーム２の両端近傍から略平行して設けられ、洗濯物の対向する生地の双方を大きく離し、対向面の接触を解消する。これにより、洗濯物の乾燥時間の短縮を図ることができる。【選択図】  図１
2012183222.tif 000002
【特許請求の範囲】
【請求項１】
上端にフックを有する掛止部と、この掛止部の下端に連続して斜状に構成された二つの肩掛け部材と、この肩掛け部材の両端の間に設けられた水平部材とを備えたハンガーに使用される洗濯物乾燥補助具であって、
上記水平部材の嵌入を許容する嵌入部と、この嵌入部に連続され、該嵌入部に上記水平部材を嵌入するとき、該水平部材に対して直交方向に配置される直交アームと、この直交アームの両端近傍から延出する略平行な洗濯物当接部とを備えたことを特徴とする洗濯物乾燥補助具。
【請求項２】
前記洗濯物当接部は、洗濯物との当接する当接面が適宜面積を有するとともに、一方が他方よりも長く設けられている洗濯物当接部である請求項１記載の洗濯物乾燥補助具。
【請求項３】
前記洗濯物当接部は、長手方向に適宜間隔を有しつつ複数の貫通孔が設けられている洗濯物当接部である請求項１または２記載の洗濯物乾燥補助具。
【請求項４】
前記直交アームは、一方の洗濯物当接部から前記嵌入部までの距離と他方の洗濯物当接部から前記嵌入部までの距離とが、異なる長さで設けられた直交アームである請求項１ないし３のいずれか１項に記載の洗濯物乾燥補助具。
【請求項５】
前記嵌入部は、所定方向に切り込まれた複数の嵌入溝を有する嵌入部であり、上記嵌入溝は、先端の嵌入溝が最も幅寸法が大きく、溝底部に向かって段階的に幅寸法を小さく構成してなる嵌入溝である請求項１ないし４のいずれか１項に記載の洗濯物乾燥補助具。
【請求項６】
前記直交アームは、連続する一本の棒状部材で構成され、その表面の一部において前記嵌入部と連続し、該嵌入部が連続する表面の反対側表面に取手部を備えた直交アームである請求項１ないし５のいずれか１項に記載の洗濯物乾燥補助具。
【請求項７】
前記取手部は、先端にフックを備えた取手部である請求項６記載の洗濯物乾燥補助具。
【発明の詳細な説明】
【技術分野】
【０００１】
本発明は、洗濯物を乾燥させる際に使用するハンガーの洗濯物乾燥補助具に関するものである。
【背景技術】
【０００２】
従来から、一般家庭においては、ハンガーに洗濯物を掛けて物干竿に吊下することで乾燥させることが行われている。その際に使用されるハンガーは、上端にフックを有する掛止部と、この掛止部の下端に連続して斜状に構成された二つの肩掛け部材と、この肩掛け部材の両端の間に設けられた水平部材とを備えているものが一般的であった。このようなハンガーは細い線状材で構成されているか、または薄肉に成形されたものであるため、ハンガーを使用して衣服等の洗濯物を乾燥させるとき、ハンガーを挟んで対向する洗濯物の生地が接近し易く、所々で接触することがあった。また、場合によっては対向する生地が密着することがあった。このような状態では、接触または密着した部分の乾燥が不十分となっていた。また、特に厚手の衣服では、このような接触または密着により十分な乾燥に長時間がかかるものであった。
そこで、洗濯物の乾燥を促進させる発明として、水平部材に可動部材が内蔵されたハンガーがあった（特許文献１）。この発明は、ハンガーの水平部材の長手方向中央部に形成された長孔に可動部材が嵌め込まれており、この可動部材の中心軸を９０度回転させることにより、水平部材に対して略直角に突出させた姿勢にするものであった。
また、同じくハンガーに可動部材が設けられている発明として、サポーター付き洗濯ハンガーがあった（特許文献２）。この発明は、水平部材と肩掛け部材の中央近辺に環状の回転式サポーター（可動部材）が設けられており、この可動部材の中心軸を４５度または９０度に回転させることにより、水平部材に対して鋭角または直角に突出させた姿勢にするものであった。
上記特許文献１および特許文献２に開示されるハンガーでは、当該ハンガーに設けられている可動部材を、ハンガーの水平部材から突出した姿勢に維持することで衣服の対向する生地が接近することを回避し、洗濯後の衣服の内部に空気を流入させることを可能とするものであった。
さらに、上記以外にもハンガーに可動部材が複数個所設けられている衣服用ハンガーがあった（特許文献３）。この発明は、支持部材（水平部材）に複数の回転棒が設けられ、これらの回転棒に連続して枠体が形成されているものであった。これらの枠体は、回転棒を中心軸とした回転により、支持部材に対して直角に突出した姿勢を維持させることができるものであり、上記枠体を複数個設けることで、衣服の対向する生地が複数の個所で接近することを防止し、衣服の内部における空気の流入量を増大させるものであった。
【先行技術文献】
【特許文献】
【０００３】
【特許文献１】特開２０００−３０８５６２号公報（図１）
【特許文献２】実用新案登録第３０６６４５５号公報（図１）
【特許文献３】特開２００７−１４４１０２号公報（図１）
【発明の概要】
【発明が解決しようとする課題】
【０００４】
しかしながら、特許文献１ないし３にかかる発明は、ハンガー自体を改良して設けられた構造であるため、可動部材または枠体をハンガー本体から取り外すことができず、既存のハンガーをそのまま利用することができないという問題があった。
【０００５】
また、特許文献２の回転式サポーター（可動部材）または特許文献３の枠体を突出させた状態で洗濯物を乾燥する場合には、回転式サポーターまたは枠体を係止させる構造とはなっておらず、何らかの衝撃または屋外での強風等により回転式サポーターまたは枠体が回転するときには、通常のハンガーと同じ状態となってしまう可能性があった。また、特許文献１の可動部材の側面には、角度制限用のストッパーが設けられているものの、可動部材の回転方向によっては、上記の様に通常のハンガーと同様の形態となってしまう可能性があった。
【０００６】
さらに、特許文献１および２の発明にあっては、可動部材が棒状または環状であるため、衣服の生地に対して垂直に接触させたとしても、洗濯された衣服の丈が長い場合（例えば、ワンピース）には、衣服の下端部分において対向する生地が接近し易くなり、衣服の乾燥の程度が部分的に異なることとなり得るものであった。
【０００７】
本発明は、上記諸点に鑑みてなされたものであって、その目的とするところは、既存のハンガーに着脱可能であるとともに、容易に設置状態が変動せず、かつ、衣服の対向する生地が接近し難い構造の洗濯物乾燥補助具を提供することである。
【課題を解決するための手段】
【０００８】
そこで、本発明は、上端にフックを有する掛止部と、この掛止部の下端に連続して斜状に構成された二つの肩掛け部材と、この肩掛け部材の両端の間に設けられた水平部材とを備えたハンガーに使用される洗濯物乾燥補助具であって、上記水平部材の嵌入を許容する嵌入部と、この嵌入部に連続され、該嵌入部に上記水平部材を嵌入するとき、該水平部材に対して直交方向に配置される直交アームと、この直交アームの両端近傍から延出する略平行な洗濯物当接部とを備えたことを特徴とする洗濯物乾燥補助具を要旨とする。
上記構成によれば、ハンガーの水平部材に嵌入部を嵌入することにより、直交アームが水平部材に対して直交方向に突出することとなり、その直交アームの先端に設けられている洗濯物当接部が洗濯物に当接して、対向する生地の接近を抑制することとなる。これにより、ハンガーに掛けた衣服の対向する生地を接触させない状態で乾燥させることができる。
上記発明において、洗濯物当接部は、洗濯物との当接する当接面が適宜面積を有するとともに、一方が他方よりも長く設けられている洗濯物当接部とすることができる。
上記構成によれば、当接面の面積を大きくすることにより、洗濯物当接部と生地との摩擦力を大きくし、洗濯物と当接面との位置が移動することを抑制できる。また、洗濯物当接部を長くすることにより、襟刳りが開いた衣服の洗濯物を乾燥させる際に、洗濯物当接部で衣服を当接している部分が、衣服から外れることなく当接状態を維持することができる。
また、上記各発明において、洗濯物当接部は、長手方向に適宜間隔を有しつつ複数の貫通孔が設けられている洗濯物当接部とすることもできる。
【０００９】
上記構成によれば、洗濯物当接部に複数の貫通孔を設けることで、適当な摩擦力を有しつつ、洗濯物との接触面積を小さくし、乾燥を促進させるとともに、これらの貫通孔から外部の空気が流入し、洗濯物の乾燥をさらに促進させることができる。
また、上記各発明において、直交アームは、一方の洗濯物当接部から前記嵌入部までの距離と他方の洗濯物当接部から前記嵌入部までの距離とが、異なる長さで設けられた直交アームとすることができる。
【００１０】
上記構成によれば、長さが異なる直交アームとすることで、洗濯物の種類により、水平部材から離れた位置に洗濯物の一方の生地を維持させることも可能となる。特に、長尺な側の直交アームにより洗濯物の対向面を大きく開くことができる。
また、上記各発明において、嵌入部は、所定方向に切り込まれた複数の嵌入溝を有する嵌入部であり、上記嵌入溝は、先端の嵌入溝が最も幅寸法が大きく、溝底部に向かって段階的に幅寸法を小さく構成してなる嵌入溝とすることができる。
【００１１】
上記構成によれば、洗濯物乾燥用として利用するハンガーの水平部材の肉厚または直径が異なる場合であっても取り付けることが可能となり、種々のハンガーを使用することができる。
また、上記各発明において、直交アームは、連続する一本の棒状部材で構成され、その表面の一部において前記嵌入部と連続し、該嵌入部が連続する表面の反対側表面に取手部を備えた直交アームとすることができる。
上記構成によれば、取手部が直交アームに連続して設けられることから、当該取手部を使用することにより、ハンガーとの着脱を行うことができる。特に、ハンガーから補助具全体を取り外す際に、取手部を引っ張ることにより、容易に行うことができる。
さらに、上記発明において、取手部は、先端にフックを備えた取手部とすることもできる。
【００１２】
上記構成によれば、取手部の先端にフックを設けることにより、補助具を物干竿に吊下させておくことも可能となり、また、長期間使用しないときには、クローゼット、収納タンス等の竿状部材に掛けることができ、収納に便利な構造となっている。
【発明の効果】
【００１３】
本発明によれば、嵌入部をハンガーの水平部材に嵌入して使用する構成であるから、既存のハンガーに取り付け可能である。使用時は直交アームがハンガーの水平部材に直交することとなるから、洗濯物の対向面の接近を抑制して、空気の流通を良くすることができる。さらに、補助具は嵌入部がハンガーの水平部材に嵌入して固定されることから、洗濯物を屋外で乾燥させる場合でも、容易に変形せずに衣服の内部に空気を流入させることができる。これらにより、結果的には洗濯物の乾燥時間を短縮させることが可能となる。
【００１４】
また、洗濯物当接部を直交アームの両端近傍から略平行して設ける構成であるから、洗濯物の対向する生地の双方を大きく離すことができ、洗濯物の対向面の接触を解消することができる。
【図面の簡単な説明】
【００１５】
【図１】本発明の第一の実施形態を示す斜視図である。
【図２】本発明の第一の実施形態を示す側面図である。
【図３】本発明の第一の実施形態の使用態様を説明する説明図である。
【図４】本発明の第一の実施形態の使用態様を説明する説明図である。
【図５】本発明の第二の実施形態を示す斜視図である。
【図６】本発明の他の実施形態を示す説明図である。
【図７】本発明の他の実施形態を示す説明図である。
【発明を実施するための形態】
【００１６】
以下、本発明の実施の形態を図面に基づいて説明する。本実施形態における洗濯物乾燥補助具は、図１に示すように、一般的なハンガーＡの水平部材Ｈに装着して使用するものであって、水平部材Ｈの嵌入を許容する嵌入部１と、この嵌入部１に連続され、当該嵌入部１に上記水平部材Ｈを嵌入するとき、この水平部材Ｈに対して直交方向に配置される直交アーム２と、この直交アーム２の両端近傍から延出する略平行な洗濯物当接部３，４とから構成されている。直交アーム２は、適宜長さの長尺な棒状に形成され、また、適当な幅寸法を有している。そして、嵌入部１は、直交アーム２の中央付近から下方に突出するように設けられており、直交アーム２の幅寸法と同程度の肉厚を有している。なお、直交アーム２の上部には、取手部５が設けられている。
【００１７】
ここで、嵌入部１は、図１に示すように、直交アーム２の長手方向に対して直交方向に切り込まれて開口する開口溝１１が構成されると共に、この開口溝１１に連続しつつ略円柱状の中空に形成される嵌入溝１２が構成されている。これらの開口溝１１および嵌入溝１２は、嵌入部１の肉厚方向全体に設けられ、対向する突出片１３，１４が形成されている。この嵌入部１は、全体が適当な弾性力を有する合成樹脂によって構成され、上記開口溝１１は、嵌入溝１２の内径よりも幅寸法が狭くなっている。従って、対向する突出片１３，１４は、開口溝１１を開放する方向に弾性変形可能となっており、ハンガーＡの水平部材Ｈを嵌入溝１２に嵌入させる場合には、上記突出片１３，１４の弾性変形により、開口溝１１を開放させることが可能となるのである。すなわち、上記開口溝１１内に水平部材Ｈを押圧して嵌入させるとき、対向する突出片１３，１４は、一時的に離隔する方向に開放するが、嵌入溝１２内に水平部材Ｈが嵌入された後には、弾性変形の復元力により対向する突出片１３，１４が近接して、係止する方向に閉じることとなり、結果として、嵌入溝１２が水平部材Ｈを抱持することとなる。
上記の様に水平部材Ｈを嵌入させるため、嵌入溝１２の内径は、水平部材Ｈの外径と同径とするか、または外径よりも若干小径とすることにより、弾性変形による復元力を強く利用することができ、水平部材Ｈとの密着性を良好にすることができる。
【００１８】
直交アーム２は、前述のように、連続する一本の棒状部材で構成され、その表面の一部において上記嵌入部１に連続するものである。さらに、上記直交アーム２の両端には、洗濯物当接部３，４が設けられている。
そこで、洗濯物当接部３，４は、図１に示すように、長尺な平板状の部材で構成されており、直交アーム２の両端からそれぞれ垂直方向に延出されるように設けられている。また、上記二つの洗濯物当接部３，４は、互いに略平行となるように設けられている。ここで、両洗濯物当接部３，４は、それぞれ直交アーム２の先端から分岐しており、一方が比較的短尺であり、他方が長尺となるように配置されている。そして、両洗濯物当接部３，４の長尺部分は、共に同一方向に延出するように構成されている。
このとき、洗濯物当接部３，４には、洗濯物を当接させるための平面部３１，４１が設けられており、その平面部３１，４１は、一定の面積を有している。ここで、当接面の面積を大きくすることにより、洗濯物当接部３，４と洗濯物の生地との摩擦力を大きくし、洗濯物と当接面との位置が移動することを抑制できる。この平面部３１，４１は、平滑な表面であってもよいが、適当な摩擦力を有することができれば凹凸面としてもよい。
また、上記平面部３１，４１には、長手方向に一定の間隔で複数の貫通孔３２・・・，４２・・・を設ける構成としてもよい。このような貫通孔３２・・・，４２・・・により、空気の流動が可能となるものである。このように、平面部３１，４１に複数の貫通孔を設ける構成によれば、適当な摩擦力を有しつつ、洗濯物との接触面積を小さくし、乾燥を促進させるとともに、これらの貫通孔３２，４２から外部の空気が流入し、洗濯物の乾燥をさらに促進させることができる。
このような構成の洗濯物当接部３，４は、嵌入部１からの距離に差異を有するように設けることも可能である。すなわち、直交アーム２に設けられる嵌入部１の位置を調整するのである。以下に詳述する。
図２に示すように、直交アーム２の長さは、嵌入部１を起点とした場合に、洗濯物当接部３から嵌入部１までの距離Ｘは、洗濯物当接部４から嵌入部１までの距離Ｙより長いものとなっている。本実施形態では、距離Ｘと距離Ｙの長さの割合は、３：２に構成されている。上記距離Ｘの長さと距離Ｙの長さを異なるものとすることで、洗濯物の種類により、水平部材Ｈから離れた位置に洗濯物の一方の生地を維持させることも可能となる。特に、距離Ｘ側の直交アームにより洗濯物の対向面を大きく開くことができるので、外部から洗濯物内部への空気の流入を距離Ｙ側より多くとることができるのである。
さらに、図２のように、洗濯物当接部３と洗濯物当接部４とは、全長において異なる長さとなっている。すなわち、洗濯物当接部３の全長Ｚ１を洗濯物当接部４の全長Ｚ２より長くする構成となっている。本実施形態では、全長Ｚ１と全長Ｚ２の長さの割合は、３：２に構成されている。
このようにすることで、例えば、襟刳りが大きく開いた衣服の洗濯物を乾燥させる場合において、上記補助具を使用した際の襟刳り側に位置する洗濯物当接部３の全長Ｚ１を長くすることで、襟刳りの大きさによる洗濯物当接部の全長が不足することがないので、当接状態を維持することができる。
また、洗濯物当接部４は、本実施形態では衣服の洗濯物の後部を開口させる構成となっているので、上記洗濯物当接部３および洗濯物当接部４により、対向する生地の接近を抑制し、衣服の対向する生地を開口させた状態で乾燥することができる。
なお、前述の取手部５は、図１において示したように、直交アーム２に連続して設けられ、嵌入部１の反対側に位置する構成となっている。この取手部５は、略直方体状に形成され、両側の長面部分は内側に湾曲した形状となっている。このようにすることで、取手部５が指で把持し易くなり、ハンガーＡとの着脱を行うことができる。ハンガーＡから補助具全体を取り外す際には、取手部５を引っ張ることにより容易に行うことができるのである。さらに、肉厚方向に貫通孔５１を穿設してもよい。この場合には、紐などを挿通させて引張ることも可能となる。
【００１９】
次に、本実施形態の使用態様について説明する。図３は、一般的なハンガーＡに衣服の洗濯物Ｗを掛けた状態を示している。この図に示すように、一般的なハンガーＡは、上端にフックを有する掛止部Ｆと、この掛止部Ｆの下端に連続して斜状に構成された二つの肩掛け部材Ｓ１，Ｓ２と、この肩掛け部材Ｓ１，Ｓ２の両端の間に設けられた水平部材Ｈとを備えている。この様な一般的なハンガーＡに単純に洗濯物Ｗを掛ける場合には、図示のように洗濯物Ｗの当接する生地Ｗ１，Ｗ２が接近または密着することとなっていた。
【００２０】
本実施形態の洗濯物乾燥補助具は、図４に示すように、上記ハンガーＡの水平部材Ｈを嵌入溝１２に嵌入させることにより取り付けるのである。このとき、嵌入部１における開口溝１１および嵌入溝１２は、直交アーム２に対して直交するように形成されているため、水平部材Ｈに嵌入部１を嵌入させるとき、この直交アーム２は、必然的に水平部材Ｈに対して直交する状態となるのである。このように直交アーム２が水平部材Ｈに対して直交する状態としつつ、ハンガーＡに、通常どおり洗濯物Ｗを掛けることにより、洗濯物Ｗの乾燥用として使用できるのである。
本実施形態を形成する各部の構成は上記のとおりであるから、洗濯物乾燥補助具をハンガーＡに取り付けることができるのである。そして、洗濯物乾燥補助具の取付位置は、図４に示したように、ハンガーＡに対して直交する位置に設置されることとなるので、ハンガーＡに衣服の洗濯物Ｗを掛けるとき、直交アーム２の先端に設けられている洗濯物当接部３，４が洗濯物Ｗの対向する生地Ｗ１，Ｗ２に当接し、その結果、対向する生地Ｗ１，Ｗ２の接近を抑制することとなるのである。これにより、洗濯物Ｗの内部は洗濯物当接部３，４により洗濯物Ｗの対向面が外側に開くことになるため、空気の流通を促進しつつ乾燥させることができる。
また、本実施形態の洗濯物乾燥補助具は、ハンガーＡの水平部材Ｈに着脱可能となることから、両者を分離することができる。さらに、嵌入溝１２は、嵌入部１の肉厚方向に十分な長さで設けられていることから、嵌入部１に水平部材Ｈを嵌入することにより、直交アーム２が水平部材Ｈとの直交状態を維持することができ、何らかの衝撃を受けるときであっても直交アーム２の状態を継続させることができる。
【００２１】
次に、本発明の第二の実施形態について説明する。本実施形態は、上記第一の実施形態と同様の構成であるが、第一の実施形態における嵌入溝１２の溝幅の寸法を段階的に異ならせたものである。
本実施形態は、図５に示すように、嵌入部１０１先端に位置する第一の嵌入溝１１２の幅寸法を最も大きく構成し、溝底部に向かって、段階的に幅寸法を小さくする構成としている。詳細には、開口溝１１１に連続して第一の嵌入溝１１２が形成され、この第一の嵌入溝１１２に連続して第二の嵌入溝１１３が形成されている。そして、この第二の嵌入溝１１３に連続して、第三の嵌入溝１１４が形成されているのである。
本実施形態は、上記のような構成であるから、ハンガーＡの水平部材Ｈ（図４参照）に対し、嵌入部１０１を装着するとき、当該水平部材Ｈの肉厚または直径に最適な嵌入溝１１２〜１１４を選択することが可能となる。従って、洗濯物乾燥用として利用するハンガーが複数種類の寸法である場合、それらの水平部材の肉厚または直径が異なることがあっても、それらを適宜取り付けることが可能となり、種々のハンガーを使用することができる。
【００２２】
本発明の実施形態は上記のとおりであるが、本発明は上記実施形態に限定されるものではない。従って、発明の趣旨を逸脱しない範囲において種々の形態をとることができる。例えば、図５に示すように、取手部５は、フックを備えた取手部１０５とすることもできる。このようにすることで、補助具を物干竿に吊下させておくことも可能となり、また、長期間使用しないときには、クローゼット、収納タンス等の竿状部材に掛けることができ、収納に便利な構造となっている。
また、図６に示すように、洗濯物当接部３，４の形状を弧状に湾曲させた構成とした洗濯物当接部２０３，２０４にすることもできる。このようにすることで、洗濯物の内部の対向面を膨らませた状態で、洗濯物当接部に当接させることが可能となるのである。
【００２３】
さらに、洗濯物当接部３，４の貫通孔３２，４２の形状、大きさ、位置、範囲について種々の形態を採用することができる。例えば、図７に示すように、洗濯物当接部３０３，３０４に多数の貫通孔３３２・・・，３４２・・・を設けることも可能である。
【符号の説明】
【００２４】
１，１０１  嵌入部
２，１０２  直交アーム
３，４，２０３，２０４，３０３，３０４  洗濯物当接部
５，１０５  取手部
１１，１１１  開口溝
１２，１１２，１１３，１１４  嵌入溝
１３，１４  突出片
３１，４１  平面部
３２，４２，３３２，３４２  貫通孔
５１  貫通孔
Ａ  ハンガー
Ｆ  掛止部
Ｓ１，Ｓ２  肩掛け部材
Ｈ  水平部材
Ｘ，Ｙ  距離
Ｚ１，Ｚ２  全長
【図１】
2012183222.tif 000003
【図２】
2012183222.tif 000004
【図３】
2012183222.tif 000005
【図４】
2012183222.tif 000006
【図５】
2012183222.tif 000007
【図６】
2012183222.tif 000008
【図７】
2012183222.tif 000009